(57)【要約】【課題】リザーバタンクの設置位置を移動させずにポンプを起動させることが可能な電子機器の提供。【解決手段】液冷式の電子機器であって、第１支持部材と、前記第１支持部材に固定されるリザーバタンクと、前記第１支持部材に対して可動に設けられ、第１位置と、前記第１位置よりも低い第２位置との間で移動可能な第２支持部材と、前記第２支持部材に固定されるポンプと、前記リザーバタンクと前記ポンプとの間を接続し、可撓性を有する第１流路部材とを含む。【選択図】図７
2018128730.tif 000002
【特許請求の範囲】
【請求項１】
液冷式の電子機器であって、
リザーバタンクと、
ポンプと、
前記ポンプを、前記リザーバタンクよりも低い位置まで下降させるポンプ下降機構と、
前記リザーバタンクと前記ポンプとの間を接続し、可撓性を有する第１流路部材とを含む、電子機器。
【請求項２】
ラックと、
前記ラックに固定され、前記リザーバタンク及び前記ポンプを収容する筐体とを更に含み、
前記筐体は、
前記リザーバタンクが固定される第１支持部材と、
前記ポンプが固定される第２支持部材と、を含み、
前記ポンプ下降機構は、前記第１支持部材に対して前記第２支持部材を、第１位置と、前記第１位置よりも低い第２位置との間で移動可能に接続し、
前記ポンプは、前記第２支持部材の前記第１位置から前記第２位置の移動に伴い、前記リザーバタンクよりも低い位置まで下降する、請求項１に記載の電子機器。
【請求項３】
前記ポンプ下降機構は、水平方向の回転軸を形成する蝶番を含み、
前記第２支持部材は、前記蝶番により前記第１支持部材に回転可能に接続される、請求項２に記載の電子機器。
【請求項４】
前記ポンプ下降機構は、上下方向に延在するガイドロッドを含み、
前記第２支持部材は、前記ガイドロッドを介して前記第１支持部材に対して上下動可能に接続される、請求項２に記載の電子機器。
【請求項５】
前記ポンプ下降機構は、水平方向のスライド機構と水平方向の回転軸まわりの回転機構との組み合わせを含み、
前記第２支持部材は、前記スライド機構と前記回転機構の組み合わせを介して前記第１支持部材に対してスライド可能且つ回転可能に接続され、
前記第２支持部材は、前記第１位置において前記スライド機構によりスライド位置へとスライド可能であり、
前記第２支持部材は、前記スライド位置において前記回転機構により前記第２位置へと回転可能である、請求項２に記載の電子機器。
【請求項６】
前記スライド機構と前記回転機構の組み合わせは、
前記第１支持部材及び前記第２支持部材の一方に設けられ、水平方向に延在し、断面形状が円形である第１区間と、断面形状が突起付きの円形である第２区間とを有するシャフト部材と、
前記第１支持部材及び前記第２支持部材の他方に設けられ、前記水平方向に延在し、前記シャフト部材が挿通され、前記シャフト部材における前記第１区間の部位を回転可能としかつ前記シャフト部材における前記第２区間の部位を回転不能とする断面形状の軸穴とを含み、
前記シャフト部材は、前記第２支持部材が前記第１位置から前記スライド位置までの間に位置するときは、前記第２区間の部位が前記軸穴内に位置し、前記第２支持部材が前記スライド位置に位置するときは、前記第２区間の部位が前記軸穴から抜けかつ前記第１区間の部位だけが前記軸穴内に位置する、請求項５に記載の電子機器。
【発明の詳細な説明】
【技術分野】
【０００１】
本開示は、電子機器に関する。
【背景技術】
【０００２】
リザーバタンクをポンプよりも高い位置に設置する技術が知られている。
【先行技術文献】
【特許文献】
【０００３】
【特許文献１】特開2006-201987号公報
【特許文献２】特開2003-229526号公報
【特許文献３】特開2004-163007号公報
【発明の概要】
【発明が解決しようとする課題】
【０００４】
しかしながら、上記の従来技術では、リザーバタンクをポンプよりも十分高い位置に設置できない場合に、リザーバタンクの設置位置を移動させずにポンプを起動させることが難しい。電子機器では、レイアウト上の制約や小型化などの要請に起因して、リザーバタンクをポンプよりも十分高い位置に設置できない場合がある。この場合、例えば、リザーバタンクを取り外してリザーバタンクを一時的に高い位置に移動すれば、ポンプを起動させることが可能となるが、リザーバタンクの取り外し作業及びその後の設置作業が煩雑である等の不都合が生じる。
【０００５】
そこで、１つの側面では、本発明は、リザーバタンクの設置位置を移動させずにポンプを起動させることが可能な電子機器の提供を目的とする。
【課題を解決するための手段】
【０００６】
１つの側面では、液冷式の電子機器であって、
第１支持部材と、
前記第１支持部材に固定されるリザーバタンクと、
前記第１支持部材に対して可動に設けられ、第１位置と、前記第１位置よりも低い第２位置との間で移動可能な第２支持部材と、
前記第２支持部材に固定されるポンプと、
前記リザーバタンクと前記ポンプとの間を接続し、可撓性を有する第１流路部材とを含む、電子機器が提供される。
【発明の効果】
【０００７】
１つの側面では、本発明によれば、リザーバタンクの設置位置を移動させずにポンプを起動させることが可能な電子機器が得られる。
【図面の簡単な説明】
【０００８】
【図１】実施例１による電子機器を示す正面図である。
【図２】水冷ユニット及びブックシェル型装置を示す斜視図である。
【図３】電子機器における冷却系の概要の説明図である。
【図４】水冷ユニット２０の平面図である。
【図５】図４のラインＡ−Ａに沿った断面と、ラインＡ−Ａよりも矢印側の部材とを示す図である。
【図６】ポンプ取付板の可動態様を説明する平面図である。
【図７】図６のラインＢ−Ｂに沿った断面と、ラインＢ−Ｂよりも矢印側の部材とを示す図である。
【図８】比較例によるポンプ起動方法の工程を示す工程図である。
【図９】本実施例によるポンプ起動方法の工程を示す工程図である。
【図１０Ａ】実施例２によるポンプ取付板の可動態様の概略的な説明図である。
【図１０Ｂ】抜け止め部の機能の概略的な説明図である。
【図１１】実施例３によるポンプ取付板の可動態様の概略的な説明図である。
【図１２】実施例３によるポンプ取付板の可動態様の概略的な説明図である。
【図１３】実施例３によるポンプ取付板の可動態様の概略的な説明図である。
【図１４】実施例３によるポンプ取付板の可動態様の概略的な説明図である。
【図１５】実施例３によるポンプ取付板の可動態様の概略的な説明図である。
【図１６】実施例３によるポンプ取付板の可動態様の概略的な説明図である。
【図１７】ポンプ取付板、シャフト部材、及び軸穴の説明図である。
【図１８Ａ】ポンプ取付板及びシャフト部材を下方から示す斜視図である。
【図１８Ｂ】シャフト部材の軸方向視である。
【図１９】図１８ＡのラインＣ−Ｃに沿った断面図である。
【図２０】底板の下方からの斜視図である。
【図２１】実施例３の効果の説明図である。
【発明を実施するための形態】
【０００９】
以下、添付図面を参照しながら各実施例について詳細に説明する。
【００１０】
［実施例１］
図１は、実施例１による電子機器１を示す正面図であり、図２は、水冷ユニット２０及びブックシェル型装置３０を示す斜視図である。図１には、Ｚ方向が定義される。Ｚ方向は、高さ方向に対応する。
【００１１】
電子機器１は、複数の電子ユニット３１が収容される機器であり、電子ユニット３１が液体の冷媒により冷却される液冷型の機器である。液体の冷媒は、例えばプロピレングリコールを含む不凍液であってよい。電子機器１は、一例として、無線通信の基地局装置を形成する。電子機器１は、屋外に配置されてもよいし、屋内に配置されてもよい。尚、変形例では、電子機器１は、サーバや、スーパコンピュータ等のような他の電子機器の形態であってもよい。
【００１２】
電子機器１は、ラック（架）１０と、水冷ユニット２０と、ブックシェル型装置３０とを含む。
【００１３】
ラック１０は、電子機器１の全体の支持フレームを形成する。ラック１０には、水冷ユニット２０及びブックシェル型装置３０が搭載される。尚、図１に示す例では、ラック１０には、１組の水冷ユニット２０及びブックシェル型装置３０が搭載されているが、複数組の水冷ユニット２０及びブックシェル型装置３０が複数段で搭載されてもよい。また、実施例１では、一例として、一のブックシェル型装置３０に対して一の水冷ユニット２０が設けられるが、複数のブックシェル型装置に対して一の水冷ユニットが設けられる構成であってもよい。また、一のブックシェル型装置に対して複数の水冷ユニットが設けられる構成であってもよい。
【００１４】
水冷ユニット２０は、ブックシェル型装置３０内の各電子ユニット３１を液体の冷媒（２次冷媒）で冷却する装置である。以下では、２次冷媒については、単に「水」という用語で表現する場合がある。例えば注水という用語は、電子機器１の冷却系に２次冷媒を注入することを意味する。
【００１５】
ブックシェル型装置３０は、各電子ユニット３１を“本棚（ブックシェル）”の形態で収容する装置である。従って、各電子ユニット３１は、内部に電子デバイスを収容するカードの形態であってよく、ＰＩＵ（プラグ・イン・ユニット）と称される場合がある。
【００１６】
電子ユニット３１は、基地局装置の各種機能を実現する。冷却対象の電子ユニット３１は、処理装置などのデバイス（発熱体）を含む。また、冷却対象の電子ユニット３１は、内部に２次冷媒が通る流路を備えることで、デバイスの熱を外部に放出できる構造を有する。なお、電子ユニット３１内における流路の構造は任意である。例えば、電子ユニット３１内では、２次冷媒の流路は、デバイスに熱的に接続される放熱部（液冷用のコールドプレート）に接する態様、又は、該放熱部の内部を通る態様で形成されてもよい。
【００１７】
複数の電子ユニット３１は、全て同一の機能を実現する同一の構成であってもよいが、一般的に、異なる機能を実現するユニットを含む。従って、複数の電子ユニット３１は、サイズが異なり得る。
【００１８】
冷却対象の各電子ユニット３１は、図２に示すように、水冷ユニット２０に管路２２を介して連通する。尚、管路２２は、２次冷媒の供給用の管路と、２次冷媒の戻り用の管路とを含む。
【００１９】
尚、基地局装置を形成する電子機器１では、一般的に、一のブックシェル型装置３０に収容される電子ユニット３１の数が多くなる。電子ユニット３１の数は、例えば、８Ｕ（１Ｕ＝１．７５［インチ］＝４４．４５［ｍｍ］）程度のブックシェル型装置３０に対して、３０〜５０個である。これは、サーバ等ではラック当り３０個程度であることとは対照的である。
【００２０】
次に、図３を参照して、電子機器１における冷却系について説明する。
【００２１】
図３は、電子機器１における冷却系の概要の説明図である。図３では、流路が二重線で示されている。また、図３では、電子機器１の外部に設置されるチラー２が模式的に示されている。また、図３では、代表として、１つの電子ユニット３１に関する管路２２が示されている。
【００２２】
電子機器１における冷却系は、熱交換器５０と、リザーバタンク５２と、ポンプ５４と、供給側のマニフォールド５６と、戻り側のマニフォールド５８と、水冷ユニット流路６０とを含む。
【００２３】
熱交換器５０、リザーバタンク５２、ポンプ５４、供給側のマニフォールド５６、戻り側のマニフォールド５８、及び水冷ユニット流路６０は、水冷ユニット２０内に設けられる。但し、これらのうちの一部の要素は、水冷ユニット２０外に設けられてもよい。
【００２４】
熱交換器５０は、１次冷媒と２次冷媒との間で熱交換を行う装置である。１次冷媒は、流路５９ａを介して電子機器１の外部のチラー２から供給され、流路５９ｂを介してチラー２に戻される。尚、熱交換器５０では、液体の１次冷媒と液体の２次冷媒との間で熱交換が実現されるが、熱交換器５０では、外部の空気と２次冷媒との間での熱交換が更に実現されてもよい。
【００２５】
リザーバタンク５２は、２次冷媒を貯留するタンクである。
【００２６】
ポンプ５４は、リザーバタンク５２と供給側のマニフォールド５６の間に設けられる。具体的には、ポンプ５４は、ホース６１（第１流路部材の一例）を介してリザーバタンク５２に接続されるとともに、ホース６２（第２流路部材の一例）を介して供給側のマニフォールド５６の間に設けられる。ホース６１、６２は、可撓性を有する。ホース６１は、両端がカプラ等のノンスピル（non-spill）型継手で、リザーバタンク５２とポンプ５４のそれぞれに接続されてよい。同様に、ホース６２は、両端がカプラ等のノンスピル型継手で、ポンプ５４と供給側のマニフォールド５６のそれぞれに接続されてよい。これにより、保守等のための取り外しや装着が容易となる。ポンプ５４は、動作時、リザーバタンク５２内の２次冷媒を吸込み、吐出する。ポンプ５４は、例えば吐出流量が可変型のポンプである。ポンプ５４は、例えば電動ポンプである。ポンプ５４は、図３に示すように、複数個設けられてもよいし、１つだけ設けられてもよい。
【００２７】
供給側のマニフォールド５６は、ヘッダとも称される部材であり、ポンプ５４から吐出された分岐供給用の２次冷媒を貯留する。供給側のマニフォールド５６には、電子ユニット３１に２次冷媒を供給するための管路２２が接続される。
【００２８】
戻り側のマニフォールド５８は、ヘッダとも称される部材であり、熱交換器５０に戻すための２次冷媒を集合させて貯留する。戻り側のマニフォールド５８には、電子ユニット３１からの戻り側の管路２２が接続される。
【００２９】
水冷ユニット流路６０は、ホース６１、６２を含む各種の接続ホースを含む。水冷ユニット流路６０は、熱交換器５０、リザーバタンク５２、ポンプ５４、供給側のマニフォールド５６、及び戻り側のマニフォールド５８を接続する流路である。水冷ユニット流路６０は、水冷ユニット流路６０は、管路２２と電子ユニット３１内の流路（図示せず）と協動して、２次冷媒の循環路を形成する。
【００３０】
具体的には、熱交換器５０から２次冷媒は、リザーバタンク５２に貯留され、リザーバタンク５２からポンプ５４により供給側のマニフォールド５６に供給される。供給側のマニフォールド５６から２次冷媒は、供給側の管路２２を介して電子ユニット３１内の流路（図示せず）に供給される。電子ユニット３１内の流路から２次冷媒は、戻り側の管路２２を介して戻り側のマニフォールド５８に戻される。戻り側のマニフォールド５８から２次冷媒は、再び水冷ユニット流路６０（戻り側）を介して熱交換器５０に戻される。このようにして、２次冷媒は、各電子ユニット３１で熱を受け、熱交換器５０で熱を放出しつつ、冷却系を循環する。
【００３１】
次に、図４乃至図７を参照して、水冷ユニット２０の筐体構造及びポンプ下降機構について説明する。
【００３２】
図４は、水冷ユニット２０の平面図であり、図５は、図４のラインＡ−Ａに沿った断面と、ラインＡ−Ａよりも矢印側の部材とを示す図である。尚、図４及び図５では、熱交換器５０等の一部の構成部品の図示が省略されている。
【００３３】
水冷ユニット２０は、上方が開口したボックス形態の筐体２００を備える。
【００３４】
筐体２００は、側板２０２と、底板２１０（第１支持部材の一例）と、ポンプ取付板２２０（第２支持部材の一例）とを含む。側板２０２は、底板２１０の全周を囲むように立設される。
【００３５】
底板２１０は、ポンプ取付板２２０と協動して、筐体２００の底部を形成する。底板２１０には、ポンプ５４以外の各種構成部品が取り付けられる。例えば、底板２１０には、リザーバタンク５２が固定される。底板２１０は、開口部２１２を有し、開口部２１２を塞ぐ態様でポンプ取付板２２０が設けられる。
【００３６】
ポンプ取付板２２０は、底板２１０と略同一の高さに延在する板材である。ポンプ取付板２２０には、ポンプ５４が取り付けられる。即ち、ポンプ５４は、ポンプ取付板２２０上に固定及び支持される。ポンプ取付板２２０は、底板２１０に対して可動に設けられる。具体的には、ポンプ取付板２２０は、蝶番３００により底板２１０に回転可能に支持される。
【００３７】
水冷ユニット２０内では、図５に示すように、高さの制約等に起因して、リザーバタンク５２はポンプ５４よりも若干高い位置に配置されているだけである。
【００３８】
図６及び図７は、ポンプ取付板２２０の可動態様の説明図であり、ポンプ取付板２２０が下方位置へと移動した状態を示す図である。図６は、図４に対応する平面図であり、図７は、図６のラインＢ−Ｂに沿った断面と、ラインＢ−Ｂよりも矢印側の部材とを示す図である。
【００３９】
蝶番３００は、水平方向の回転軸を形成する。従って、ポンプ取付板２２０は、図６及び図７に示すように、水平方向の回転軸まわりに回転できる。このようにして、蝶番３００は、ポンプ下降機構の一例を形成する。以下では、図４及び図５に示す位置を、ポンプ取付板２２０の通常位置（第１位置の一例）と称し、図６及び図７に示す位置を、ポンプ取付板２２０の下降位置（第２位置の一例）と称する。尚、ポンプ取付板２２０の下降位置（回転角度）は、ストッパ部材３１０により規定できる。また、ポンプ取付板２２０の通常位置での保持（重力に対する保持）は、バネなどを用いた係止構造や簡易な締結具（図示せず）により実現されてよい。
【００４０】
ポンプ取付板２２０が図６及び図７に示す下降位置に位置する場合、ポンプ取付板２２０上のポンプ５４も、ポンプ取付板２２０が図４及び図５に示す通常位置に位置する場合よりも、低い位置に至る。これにより、後述のように、注水を伴うポンプ５４の起動が容易となる。尚、ホース６１、６２は、ポンプ取付板２２０の可動に伴うポンプ５４の動きを吸収できるような余長をもって配索される。
【００４１】
ところで、水冷ユニット２０の組立時は、２次冷媒を充填させるためリザーバタンク５２からの２次冷媒をポンプ５４で循環路に循環させる必要がある。２次冷媒を充填させるためポンプ５４を起動させるが、ポンプ５４の起動時には空回りによるポンプ焼き付き防止のために、ポンプ吸入口から呼び水を行う必要がある。呼び水を行うにはポンプ５４に対してリザーバタンク５２を高い位置に設置する必要がある。
【００４２】
しかしながら、ポンプ取付板２２０が通常位置にあるときは、上述のように、リザーバタンク５２の吐出口とポンプ５４の吸入口がほぼ水平となる。これは、上述のように、リザーバタンク５２とポンプ５４の上下方向の位置関係は、ラック１０に搭載される水冷ユニット２０では充分な高さが確保できないためである。
【００４３】
この点、本実施例によれば、ポンプ取付板２２０が図６及び図７に示す下降位置に移動できるので、呼び水を行うときにはポンプ取付板２２０を下降位置に移動させることで、ポンプ５４に対してリザーバタンク５２を高い位置に相対的に移動させることができる。これにより、本実施例によれば、ポンプ下降機構を利用してポンプ取付板２２０を下降位置に移動させるという簡易な作業で、注水を伴うポンプ５４の起動を実現できる。この結果、リザーバタンク５２を水冷ユニット２０から取り外して上方へ移動させるといった作業が不要となり、かかる作業に起因した不都合を無くすことができる。尚、リザーバタンク５２を水冷ユニット２０から取り外して上方へ移動させる場合の不都合としては、作業自体が煩雑である点に加えて、リザーバタンク５２を高い位置に移動させた状態でのリザーバタンク５２の不自然な体勢による２次冷媒の漏えいの可能性がある。また、同様に、リザーバタンク５２の不自然な体勢に起因して、リザーバタンク５２からのホース着脱等による２次冷媒の漏えいの可能性がある。本実施例によれば、かかる２次冷媒の漏えいの可能性を無くすことができる。
【００４４】
また、本実施例によれば、ラック１０への水冷ユニット２０の搭載状態において、水冷ユニット２０よりも下方に十分なスペースが存在する場合は、水冷ユニット２０を水冷ユニット２０から取り外しことなく、注水を伴うポンプ５４の起動が可能である。
【００４５】
ここで、図８及び図９を参照して、ポンプ起動方法について、比較例との対比で更に説明する。
【００４６】
図８は、比較例によるポンプ起動方法の工程を示す工程図であり、図９は、本実施例によるポンプ起動方法の工程を示す工程図である。
【００４７】
比較例によるポンプ起動方法は、図８に示すように、例えば水冷ユニット２０の組み立てが完了すると、注水準備を行ってから実行される。比較例によるポンプ起動方法では、まず、リザーバタンクを水冷ユニットから取り外して（Ｓ２）上方へ移動させる（Ｓ３）作業を伴う。また、この際、リザーバタンクからホースを取り外し（Ｓ１）再度装着する（Ｓ４）作業を伴う。また、注水開始（Ｓ５）後、ポンプ起動（Ｓ６）を行い、充填が完了すると注水が完了となり、ポンプ停止が実行される（Ｓ８）。その後、リザーバタンクを元の場所に戻す作業（Ｓ１０）が必要となり、この際、再び、リザーバタンクからホースを取り外し（Ｓ９）再度装着する（Ｓ１１）作業が必要となる。その後、水漏れ確認が完了すると（Ｓ１２）、注水が完了となる。
【００４８】
本実施例によるポンプ起動方法は、図９に示すように、同様に、例えば水冷ユニット２０の組み立てが完了すると、注水準備を行ってから実行される。本実施例によるポンプ起動方法では、水冷ユニット２０よりも下方に十分なスペースが確保されると（Ｓ１１）、ポンプ取付板２２０及びポンプ５４が下降位置へと移動される（Ｓ１２）。この際、ホース６１、６２の取り外し作業は不要である。次いで、注水開始（Ｓ１３）後、ポンプ起動（Ｓ１４）を行い、充填が完了すると注水が完了となり（Ｓ１５）、ポンプ停止が実行される（Ｓ１６）。その後、ポンプ取付板２２０及びポンプ５４が通常位置へと戻される（Ｓ１６）。この際も、ホース６１、６２の取り外し作業は不要である。その後、水漏れ確認が完了すると（Ｓ１２）、注水が完了となる。
【００４９】
このように比較例と対比すると明らかなように、本実施例によれば、ポンプ起動方法の工程を大幅に簡略化できる。また、上述のように、ホース６１、６２の取り外しなどを必要としないため、水漏れの可能性も低減できる。
【００５０】
尚、図９に示す例は、水冷ユニット２０の組み立て完了の際の起動方法であるが、同様の起動方法は、例えばポンプ５４の交換や保守等の後に実行する起動時にも適用できる。例えば、３つのポンプ５４のうちの１つを交換した際は、他の２つのポンプ５４を稼働した状態で、図９に示す起動方法を用いて交換後のポンプ５４を起動できる。
【００５１】
［実施例２］
実施例２は、上述した実施例１に対して、筐体構造が異なる。より具体的には、実施例２は、上述した実施例１に対して、ポンプ取付板の可動態様が異なる。以下では、実施例２における実施例１に対して異なる部分について主に説明する。
【００５２】
図１０Ａは、実施例２によるポンプ取付板２２０Ａの可動態様の概略的な説明図である。図１０Ａにおいては、上述した実施例１と同様であってよい構成要素については、同一の参照符号を付して説明を省略する。
【００５３】
実施例２によるポンプ下降機構は、蝶番３００に代えて、ガイドロッド４００を用いる点が異なる。
【００５４】
ポンプ取付板２２０Ａは、鉛直方向に延在するガイドロッド４００を介して底板２１０Ａに対して上下動可能に接続される。具体的には、ポンプ取付板２２０Ａには、例えば上面視の４隅にガイドロッド４００が立設される。ガイドロッド４００は、下端がポンプ取付板２２０Ａに固定され、上端に抜け止め部４０２を備える。
【００５５】
ポンプ取付板２２０Ａは、図１０Ａに示す下降位置（第２位置の一例）まで移動できる（矢印Ｒ参照）。尚、ポンプ取付板２２０Ａの通常位置は、底板２１０Ａと略同一の水平面内である。ポンプ取付板２２０Ａの通常位置での保持（重力に対する保持）は、バネなどを用いた係止構造や簡易な締結具（図示せず）により実現されてよい。
【００５６】
図１０Ｂは、抜け止め部４０２の機能の概略的な説明図であり、ポンプ取付板２２０Ａと底板２１０Ａの一部を上面視で示す図である。
【００５７】
底板２１０Ａは、ポンプ取付板２２０Ａよりも若干小さい開口部２１２Ａを有する。また、底板２１０Ａは、ガイドロッド４００が通る穴２１４Ａを備える。抜け止め部４０２は、底板２１０Ａにおける穴２１４Ａまわりの領域に下方向に当接することで、抜け止め機能を実現する。即ち、抜け止め部４０２は、穴２１４Ａよりも大きく、底板２１０Ａにおける穴２１４Ａまわりに当接することで、下方への更なる変位が拘束される。
【００５８】
このような実施例２によるポンプ下降機構によっても、上述した実施例１と同様の効果が奏される。即ち、２次冷媒の注入時は、ポンプ取付板２２０Ａが下降位置に移動され、それに伴いポンプ５４が下方向に移動される。これにより、リザーバタンク５２に対してポンプ５４が下側に位置することができ、リザーバタンク５２やホース６１、６２を着脱すること無しに注水が可能となる。
【００５９】
［実施例３］
実施例３は、上述した実施例１に対して、筐体構造が異なる。より具体的には、実施例３は、上述した実施例１に対して、ポンプ取付板の可動態様が異なる。以下では、実施例３における実施例１に対して異なる部分について主に説明する。
【００６０】
図１１乃至図１６は、実施例３によるポンプ取付板２２０Ｂの可動態様の概略的な説明図である。図１１乃至図１３は、筐体２００Ｂの上方からの斜視図であり、図１４乃至図１６は、ポンプ取付板２２０Ｂと底板２１０Ｂとの関係を下方から示す斜視図である。図１１及び図１４は、ポンプ取付板２２０Ｂが通常位置に位置する状態を示し、図１２及び図１５は、ポンプ取付板２２０Ｂがスライド位置に位置する状態を示し、図１３及び図１６は、ポンプ取付板２２０Ｂが下降位置に位置する状態を示す。図１１乃至図１６においては、上述した実施例１と同様であってよい構成要素については、同一の参照符号を付して説明を省略する。図１２には、スライド方向に沿ったＹ軸が定義されている。Ｙ軸は、水平面内の軸である。また、図１１乃至図１３では、ホース６２の接続態様が前出の図４等に示した接続態様と異なるが、かかる相違は本質的でない。図１４乃至図１６では、ポンプ５４等の図示は省略されている。
【００６１】
実施例３によるポンプ下降機構は、蝶番３００に代えて、スライド機構と回転機構の組み合わせを用いる点が異なる。
【００６２】
ポンプ取付板２２０Ｂは、水平方向のスライド機構と水平方向の回転軸まわりの回転機構との組み合わせを介して底板２１０Ｂに対してスライド可能且つ回転可能に接続される。具体的には、ポンプ取付板２２０Ｂは、図１１及び図１４に示す通常位置から、図１２及び図１５に示すように、スライド機構を介して後方（Ｙ方向のＹ１側）のスライド位置まで移動できる。ポンプ取付板２２０Ｂがスライド位置まで移動されると、回転機構が機能し、ポンプ取付板２２０Ｂは、図１３及び図１６に示すように、Ｙ軸まわりの回転機構を介して下降位置（第２位置の一例）まで移動できる。尚、ポンプ取付板２２０Ｂの通常位置は、底板２１０Ｂと略同一の水平面内である。
【００６３】
このようなスライド機構と回転機構の組み合わせは、シャフト部材５００と、軸穴６００とを含む。
【００６４】
図１７、図１８Ａ及び図１８Ｂは、ポンプ取付板２２０Ｂ、シャフト部材５００、及び軸穴６００の説明図である。図１７は、ポンプ取付板２２０Ｂ及びシャフト部材５００を下方から示す斜視図である。図１８Ａ及び図１８Ｂは、シャフト部材５００及び軸穴６００の関係を示す２面図であり、図１８Ａは、シャフト部材５００の側面視であり、図１８Ｂは、シャフト部材５００の軸方向視であり、図１８Ａの矢視Ｖ（矢印Ｖに視たビュー）である。図１９は、図１８ＡのラインＣ−Ｃに沿った断面図である。図２０は、底板２１０Ｂの下方からの斜視図である。図２０には、スライド位置に対応する位置にあるシャフト部材５００についても併せて図示されている。
【００６５】
ポンプ取付板２２０Ｂは、上述した実施例１によるポンプ取付板２２０に対して、構造上、側板部２０２Ｂ−１が固定される点と、シャフト部材５００が固定される点とが異なる。
【００６６】
側板部２０２Ｂ−１は、側板２０２Ｂの一部（Ｙ方向のＹ１側の側板２０２Ｂの一部）を形成する。従って、ポンプ取付板２２０Ｂは、Ｙ方向で側板部２０２Ｂ−１まで延在する。側板部２０２Ｂ−１は、スライド位置への引き出しの際の持ち手部分として機能できる。
【００６７】
シャフト部材５００は、Ｙ方向に延在する。シャフト部材５００は、図１７に示すように、断面形状が円形である第１区間ＳＣ１と、断面形状が突起９０付きの円形である第２区間ＳＣ２とを有する。第２区間ＳＣ２では、突起９０は下方に向けて突出され、Ｙ方向に延在する突条を形成する。
【００６８】
底板２１０Ｂは、上述した実施例１による底板２１０に対して、ポンプ取付板２２０Ｂの形成範囲に対応する開口部２１２Ｂの範囲が異なる以外に、軸穴６００を備える点が異なる。軸穴６００は、底板２１０Ｂに一体的に形成されてもよいが、ここでは、図２０に示すように、ブロック部材７０に形成され、ブロック部材７０が底板２１０Ｂの下面に固定される。
【００６９】
軸穴６００は、Ｙ方向に延在する。軸穴６００内には、シャフト部材５００が挿通される。軸穴６００は、シャフト部材５００における第１区間ＳＣ１の部位を回転可能としかつシャフト部材５００における第２区間ＳＣ２の部位を回転不能とする断面形状を有する。具体的には、軸穴６００の断面形状は、図１９に示すように、シャフト部材５００における第２区間ＳＣ２の部位に対応する鍵穴形状である。尚、図１９に示す例では、軸穴６００は、下方が開放しているが、下方が閉塞されていてもよい。
【００７０】
シャフト部材５００は、ポンプ取付板２２０Ｂが通常位置からスライド位置までの間に位置するときは、第２区間ＳＣ２の部位が軸穴６００内に位置する。これにより、ポンプ取付板２２０Ｂが通常位置からスライド位置までの間に位置するときは、シャフト部材５００の回転は拘束される。即ち、ポンプ取付板２２０Ｂが通常位置からスライド位置までの間に位置するときは、ポンプ取付板２２０Ｂが底板２１０Ｂに対して回転することはない。
【００７１】
シャフト部材５００は、ポンプ取付板２２０Ｂがスライド位置に位置するときは、第２区間ＳＣ２の部位が軸穴６００から抜けかつ第１区間ＳＣ１の部位だけが軸穴６００内に位置する。即ち、ポンプ取付板２２０Ｂがスライド位置に至ると、シャフト部材５００の回転に対する拘束が解除される。これにより、ポンプ取付板２２０Ｂは、重力によりスライド位置において下降位置へと回転される。尚、ポンプ取付板２２０Ｂの下降位置（回転角度）は、図１８Ｂに示すようなブロック部材７０におけるストッパ７２により規定できる。
【００７２】
このような実施例３によるポンプ下降機構によっても、上述した実施例１と同様の効果が奏される。即ち、２次冷媒の注入時は、ポンプ取付板２２０Ｂが下降位置に移動され、それに伴いポンプ５４が下方向に移動される。これにより、リザーバタンク５２に対してポンプ５４が下側に位置することができ、リザーバタンク５２やホース６１、６２を着脱すること無しに注水が可能となる。
【００７３】
また、実施例３によれば、上述のように、ポンプ取付板２２０Ｂ及びそれに伴いポンプ５４は、スライド位置まで引き出してから下降位置まで移動させることができる。従って、実施例３によれば、例えば図２１に模式的に示すように、水冷ユニット２０Ｂの下方にブックシェル型装置３０が設けられ、水冷ユニット２０Ｂよりも下方に十分なスペースが存在しない場合でも、２次冷媒の注入が可能である。即ち、実施例３によれば、図２１に示すように、水冷ユニット２０Ｂの下方にブックシェル型装置３０が設けられる場合でも、スライド位置まで引き出してから下降位置まで移動させることができる。尚、図２１には、水冷ユニット２０Ｂを含む電子機器１Ｂが示される。
【００７４】
尚、上述した実施例３では、シャフト部材５００がポンプ取付板２２０Ｂ側に取り付けられ、ブロック部材７０が底板２１０Ｂ側に取り付けられているが、逆であってもよい。即ち、シャフト部材５００に対応するシャフト部材が底板側に設けられ、軸穴６００に対応する軸穴がポンプ取付板側に設けられてもよい。
【００７５】
以上、各実施例について詳述したが、特定の実施例に限定されるものではなく、特許請求の範囲に記載された範囲内において、種々の変形及び変更が可能である。また、前述した実施例の構成要素を全部又は複数を組み合わせることも可能である。
【００７６】
例えば、上述した実施例１（実施例２，３も同様）では、ポンプ５４は複数個設けられ、ポンプ取付板２２０は、複数個のポンプ５４に共通に設けられるが、これに限られない。例えば、複数のポンプ５４のそれぞれに対して別々にポンプ取付板２２０が設けられ、各ポンプ取付板２２０が互いに対して独立に可動であってもよい。この場合、複数のポンプ５４のいずれか１つを交換等する場合に、他のポンプ５４の位置を変えずに注水作業を行うことができる。
【００７７】
なお、以上の実施例に関し、さらに以下の付記を開示する。
［付記１］
液冷式の電子機器であって、
リザーバタンクと、
ポンプと、
前記ポンプを、前記リザーバタンクよりも低い位置まで下降させるポンプ下降機構と、
前記リザーバタンクと前記ポンプとの間を接続し、可撓性を有する第１流路部材とを含む、電子機器。
［付記２］
ラックと、
前記ラックに固定され、前記リザーバタンク及び前記ポンプを収容する筐体とを更に含み、
前記筐体は、
前記リザーバタンクが固定される第１支持部材と、
前記ポンプが固定される第２支持部材と、を含み、
前記ポンプ下降機構は、前記第１支持部材に対して前記第２支持部材を、第１位置と、前記第１位置よりも低い第２位置との間で移動可能に接続し、
前記ポンプは、前記第２支持部材の前記第１位置から前記第２位置の移動に伴い、前記リザーバタンクよりも低い位置まで下降する、付記１に記載の電子機器。
［付記３］
前記ポンプ下降機構は、水平方向の回転軸を形成する蝶番を含み、
前記第２支持部材は、前記蝶番により前記第１支持部材に回転可能に接続される、付記２に記載の電子機器。
［付記４］
前記ポンプ下降機構は、上下方向に延在するガイドロッドを含み、
前記第２支持部材は、前記ガイドロッドを介して前記第１支持部材に対して上下動可能に接続される、付記２に記載の電子機器。
［付記５］
前記ポンプ下降機構は、水平方向のスライド機構と水平方向の回転軸まわりの回転機構との組み合わせを含み、
前記第２支持部材は、前記スライド機構と前記回転機構の組み合わせを介して前記第１支持部材に対してスライド可能且つ回転可能に接続され、
前記第２支持部材は、前記第１位置において前記スライド機構によりスライド位置へとスライド可能であり、
前記第２支持部材は、前記スライド位置において前記回転機構により前記第２位置へと回転可能である、付記２に記載の電子機器。
［付記６］
前記スライド機構と前記回転機構の組み合わせは、
前記第１支持部材及び前記第２支持部材の一方に設けられ、水平方向に延在し、断面形状が円形である第１区間と、断面形状が突起付きの円形である第２区間とを有するシャフト部材と、
前記第１支持部材及び前記第２支持部材の他方に設けられ、前記水平方向に延在し、前記シャフト部材が挿通され、前記シャフト部材における前記第１区間の部位を回転可能としかつ前記シャフト部材における前記第２区間の部位を回転不能とする断面形状の軸穴とを含み、
前記シャフト部材は、前記第２支持部材が前記第１位置から前記スライド位置までの間に位置するときは、前記第２区間の部位が前記軸穴内に位置し、前記第２支持部材が前記スライド位置に位置するときは、前記第２区間の部位が前記軸穴から抜けかつ前記第１区間の部位だけが前記軸穴内に位置する、付記５に記載の電子機器。
［付記７］
前記第１流路部材は、前記第２支持部材の前記第１位置と前記第２位置との間の移動を吸収できる余長を備える、付記２〜６のうちのいずれか１項に記載の電子機器。
［付記８］
マニフォールドと、
前記マニフォールドと前記ポンプとの間を接続し、可撓性を有する第２流路部材とを更に含み、
前記第２流路部材は、前記第２支持部材の前記第１位置と前記第２位置との間の移動を吸収できる余長を備える、付記２〜６のうちのいずれか１項に記載の電子機器。
［付記９］
前記第１支持部材は、前記筐体の底板により形成され、
前記第２支持部材は、前記底板の開口部に設けられる板材であり、前記底板と略同一の面内に延在する、付記２〜８うちのいずれか１項に記載の電子機器。
［付記１０］
ポンプをリザーバタンクよりも低い位置まで下降させるポンプ下降機構を備える電子機器用のポンプ起動方法であって、
前記ポンプ下降機構を用いて、前記ポンプを前記リザーバタンクよりも低い位置まで下降させ、
前記ポンプを前記リザーバタンクよりも低い位置まで下降させた状態で、前記ポンプを起動させ、
前記リザーバタンクよりも低い位置まで下降させた前記ポンプを元の位置に戻すことを含む、ポンプ起動方法。
【符号の説明】
【００７８】
１、１Ｂ  電子機器
２  チラー
１０  ラック
２０、２０Ｂ  水冷ユニット
２２  管路
３０  ブックシェル型装置
３１  電子ユニット
５０  熱交換器
５２  リザーバタンク
５４  ポンプ
５６  供給側のマニフォールド
５８  戻り側のマニフォールド
５９ａ  流路
５９ｂ  流路
６０  水冷ユニット流路
６１  ホース
６２  ホース
７０  ブロック部材
７２  ストッパ
９０  突起
２００、２００Ａ、２００Ｂ  筐体
２１０、２１０Ａ、２１０Ｂ  底板
２１２、２１２Ａ、２１２Ｂ  開口部
２１４Ａ  穴
２２０、２２０Ａ、２２０Ｂ  ポンプ取付板
３００  蝶番
４００  ガイドロッド
４０２  抜け止め部
５００  シャフト部材
６００  軸穴
【図１】
2018128730.tif 000003
【図２】
2018128730.tif 000004
【図３】
2018128730.tif 000005
【図４】
2018128730.tif 000006
【図５】
2018128730.tif 000007
【図６】
2018128730.tif 000008
【図７】
2018128730.tif 000009
【図８】
2018128730.tif 000010
【図９】
2018128730.tif 000011
【図１０Ａ】
2018128730.tif 000012
【図１０Ｂ】
2018128730.tif 000013
【図１１】
2018128730.tif 000014
【図１２】
2018128730.tif 000015
【図１３】
2018128730.tif 000016
【図１４】
2018128730.tif 000017
【図１５】
2018128730.tif 000018
【図１６】
2018128730.tif 000019
【図１７】
2018128730.tif 000020
【図１８Ａ】
2018128730.tif 000021
【図１８Ｂ】
2018128730.tif 000022
【図１９】
2018128730.tif 000023
【図２０】
2018128730.tif 000024
【図２１】
2018128730.tif 000025